(57)【特許請求の範囲】
【請求項１】
壁隅の両側に配置された一対の板材の端部をカバーするコーナーカバーであって、
一方の板材の正面を覆う一方の正面板と、
前記一方の正面板に屈曲して連接され、他方の板材の正面を覆う他方の正面板と、
前記一方の正面板の上端に連接され、前記一方の板材の上端面を覆う一方の上面板と、
前記他方の正面板の上端に連接され、前記他方の板材の上端面を覆う他方の上面板と、
前記一方の正面板に形成され、前記一方の板材の凹溝に係合する一方の係合凸部と、
前記他方の正面板に形成され、前記他方の板材の凹溝に係合する他方の係合凸部とからなり、
前記他方の正面板又は前記一方の正面板には、前記一方の正面板又は前記他方の正面板とで挟み込んで前記一対の板材の片方のみを挟持する挟持片が設けられ、
前記一方の上面板又は前記他方の上面板には、前記一対の板材の片方のみの上端に係止される係止縁が形成され、
前記係止縁と前記一方の正面板又は前記他方の正面板との間の隙間の幅は、前記挟持片と前記一方の正面板又は前記他方の正面板との間の隙間の幅と同一の距離であり、
前記係止縁は、前記挟持片と略同一方向に延設され、かつ、前記一方の正面板又は前記他方の正面板と略平行に設けられていることを特徴とするコーナーカバー。
【請求項２】
出隅の両側に配置された前記一対の板材の端部をカバーするコーナーカバーであって、
前記他方の正面板には、前記一方の正面板とで挟み込んで前記一方の板材を挟持する前記挟持片が、前記一方の正面板と略平行に設けられていることを特徴とする請求項１記載のコーナーカバー。
【請求項３】
入隅の両側に配置された前記一対の板材の端部をカバーするコーナーカバーであって、
前記一方の正面板には、前記一方の正面板とで挟み込んで前記一方の板材を挟持する前記挟持片が設けられ、
前記挟持片は、前記一方の正面板と略平行の平行挟持部と、前記一方の正面板と略直角の直角挟持部とからなり、前記平行挟持部と前記一方の正面板とで前記一方の板材を挟持することを特徴とする請求項１記載のコーナーカバー。
【発明の詳細な説明】
【技術分野】
【０００１】
本願発明は、家屋の壁面に設けられた幅木又は廻り縁等の板材に取り付けられるコーナーカバーに係り、詳しくは、壁面の壁隅の両側に配置された板材の対向する端縁及び端縁間の隙間を覆うコーナーカバーに関する。
【背景技術】
【０００２】
住宅には、壁面の床面近傍に幅木が設けられ、壁面の天井近傍に廻り縁が設けられている。幅木又は廻り縁等の板材は、壁面の見栄えを良くし、壁面を保護している。この板材は、直線状に形成されているので、出隅、入隅等の壁面の壁隅では、端縁が分離している。従来のコーナーカバーは、壁面の壁隅（入隅及び出隅）を中心として両側に配置された板材の対向する端縁及び端縁間の隙間を覆うようになっている。
【０００３】
従来のコーナーカバーは、一対の板材の正面を覆う一対の正面板と、正面板の上端に連接され、板材の上面を覆う上面板とからなる。一対の正面板には、板材の長手方向に伸びる凹溝に係合する係合凸部が形成されている。また、コーナーカバーには、一対の正面板と略平行に伸びる一対の挟持片と、この一対の挟持片を支持する支持片が形成されている（例えば、特許文献１）。この従来のコーナーカバーは、一対の板材の略直角に対向する端縁側を正面板と挟持片により挟持して、一対の板材の略直角に対向する端縁側に取り付けられる。
【先行技術文献】
【特許文献】
【０００４】
【特許文献１】特開２０１１−２０８４６８号公報
【発明の概要】
【発明が解決しようとする課題】
【０００５】
従来のコーナーカバーは、構造が複雑で安価に製造することができないという問題点があった。また、従来のコーナーカバーは、一対の板材の間の隙間に支持片を差し込むようにして、一対の挟持片を一対の板材の裏側と壁面の間に挿入させ、一対の正面板と一対の挟持片で両側の板材を挟持させて取り付けるが、一対の正面板を変形させながら板材に取り付けるので、板材への取り付けが難しいという問題点があった。さらに、従来のコーナーカバーは、正面板の下部と挟持片により板材を挟持して板材に取り付けられるが、正面板の上部は、板材に接触しているが係止されておらず、変形して板材から離間して、破損する恐れがあるという問題点があった。特にコーナーカバーは、壁面の壁隅に設けられ、掃除機、靴等が接触する可能性が高く、板材から離れないようにしっかり固定しておく必要があった。
【０００６】
本願発明は、上記問題点に鑑み案出したものであって、構造が簡単で安価に製造することができ、幅木、廻り縁等の板材に簡単に取り付けることができるコーナーカバーを提供することを第１の目的とする。また、下部及び上部を板材に取り付けることにより、変形して板材から離間しないようにしたコーナーカバーを提供することを第２の目的とする。
【課題を解決するための手段】
【０００７】
本願発明に係るコーナーカバーは、上記第１の目的を達成するため、壁隅の両側に配置された一対の板材の端部をカバーするコーナーカバーであって、一方の板材の正面を覆う一方の正面板と、一方の正面板に屈曲して連接され、他方の板材の正面を覆う他方の正面板と、一方の正面板の上端に連接され、一方の板材の上端面を覆う一方の上面板と、他方の正面板の上端に連接され、他方の板材の上端面を覆う他方の上面板と、一方の正面板に形成され、一方の板材の凹溝に係合する一方の係合凸部と、他方の正面板に形成され、他方の板材の凹溝に係合する他方の係合凸部とからなり、他方の正面板又は一方の正面板には、一方の正面板又は他方の正面板とで挟み込んで一対の板材の片方のみを挟持する挟持片が設けられていることを特徴とする。
【０００８】
本願発明に係るコーナーカバーは、上記第１の目的を達成するため、出隅の両側に配置された一対の板材の端部をカバーするコーナーカバーであって、他方の正面板には、一方の正面板とで挟み込んで一方の板材を挟持する挟持片が、一方の正面板と略平行に設けられていることを特徴とする。
【０００９】
本願発明に係るコーナーカバーは、上記第１の目的を達成するため、入隅の両側に配置された一対の板材の端部をカバーするコーナーカバーであって、一方の正面板には、一方の正面板とで挟み込んで一方の板材を挟持する挟持片が設けられ、挟持片は、一方の正面板と略平行の平行挟持部と、一方の正面板と略直角の直角挟持部とからなり、平行挟持部と一方の正面板とで一方の板材を挟持することを特徴とする。
【００１０】
本願発明に係るコーナーカバーは、上記第２の目的を達成するため、一方の上面板又は他方の上面板には、一対の板材の片方のみの上端に係止される係止縁が形成されていることを特徴とする。
【００１１】
本願発明に係るコーナーカバーは、上記第２の目的を達成するため、係止縁と一方の正面板又は他方の正面板との間の隙間の幅は、挟持片と一方の正面板又は他方の正面板との間の隙間の幅と同一の距離であり、係止縁は、挟持片と略同一方向に延設され、かつ、一方の正面板又は他方の正面板と略平行に設けられていることを特徴とする。
【発明の効果】
【００１２】
本願発明に係るコーナーカバーは、壁隅の両側に配置された一対の板材の端部をカバーするコーナーカバーである。本願発明に係るコーナーカバーは、一方の板材の正面を覆う一方の正面板と、一方の正面板に屈曲して連接され、他方の板材の正面を覆う他方の正面板と、一方の正面板の上端に連接され、一方の板材の上端面を覆う一方の上面板と、他方の正面板の上端に連接され、他方の板材の上端面を覆う他方の上面板と、一方の正面板に形成され、一方の板材の凹溝に係合する一方の係合凸部と、他方の正面板に形成され、他方の板材の凹溝に係合する他方の係合凸部とからなる。他方の正面板又は一方の正面板には、一方の正面板とで挟み込んで一対の板材の片方のみを挟持する挟持片が設けられている。
【００１３】
本願発明に係るコーナーカバーは、壁隅の両側に配置された一対の板材の端部をカバーすることができる。本願発明に係るコーナーカバーは、一方の正面板が一方の板材の正面を覆い、他方の正面板が他方の板材の正面を覆い、一方の上面板が一方の板材の上端面を覆い、他方の上面板が他方の板材の上端面を覆う。一方の正面板に形成された係合凸部が、一方の板材の凹溝に係合し、他方の正面板に形成された係合凸部が、他方の板材の凹溝に係合する。本願発明に係るコーナーカバーは、他方の正面板又は一方の正面板に設けられた挟持片が、一方の正面板とで挟み込んで一対の板材の片方のみを挟持し、他方を挟持しない。本願発明に係るコーナーカバーは、挟持片が一方のみに設けられ、他方に設けられていないので、板材への取付が容易であるという効果がある。また、本願発明に係るコーナーカバーは、他方の正面板又は一方の正面板のみに挟持片が設けられ、両方には設けられないので、構造が簡単であり、安価に製造することができるという効果がある。
【００１４】
本願発明に係るコーナーカバーは、出隅の両側に配置された一対の板材の端部をカバーするコーナーカバーである。本願発明に係るコーナーカバーは、他方の正面板に、一方の正面板とで挟み込んで一方の板材を挟持する挟持片が、一方の正面板と略平行に設けられている。
【００１５】
本願発明に係るコーナーカバーは、上記効果に加え、板材の上部から取り付けることができることは勿論のこと、板材の端面側からも差し込んで取り付けることができ、取付が容易であるという効果がある。
【００１６】
本願発明に係るコーナーカバーは、入隅の両側に配置された一対の板材の端部をカバーするコーナーカバーである。一方の正面板には、一方の正面板とで挟み込んで一方の板材を挟持する挟持片が設けられている。挟持片は、一方の正面板と略平行の平行挟持部と、一方の正面板と略直角の直角挟持部とからなり、平行挟持部と一方の正面板とで一方の板材を挟持する。
【００１７】
本願発明に係るコーナーカバーは、挟持片が一方のみに設けられ、他方に設けられていないので、板材への取付が容易であるという効果がある。また、本願発明に係るコーナーカバーは、一方の正面板のみに挟持片が設けられ、両方の正面板には設けられていないので、構造が簡単であり、安価に製造することができるという効果がある。
【００１８】
本願発明に係るコーナーカバーは、一方の上面板に、一方の板材の上端に係止される係止縁が形成されている。本願発明に係るコーナーカバーは、上面板に板材の上端に係止される係止縁が形成されているので、下部が挟持片により板材に取り付けられ、上部が係止縁により板材に取り付けられ、板材から離れてしまう部分がなく、板材にしっかり固定しておくことができるという効果がある。
【００１９】
本願発明に係るコーナーカバーは、前記係止縁が、前記挟持片と略同一方向に延設されている。本願発明に係るコーナーカバーは、前記係止縁と前記挟持片とが略同じ方向を向いているので、板材の端面側から板材の長手方向（横方向）にスライドさせて簡単且つ無理なく取り付けることができるという効果がある。
【図面の簡単な説明】
【００２０】
【図１】本願発明に係るコーナーカバーの説明斜視図であって、（ａ）が正面から視た正面斜視図、（ｂ）が背面から視た背面斜視図である。
【図２】図１のコーナーカバーの説明図であって、（ａ）が正面図、（ｂ）が左側面図、（ｃ）が右側面図、（ｄ）が背面図、（ｅ）が平面図、（ｆ）が底面図である。
【図３】本願発明に係るコーナーカバーの他の説明図であって、（ａ）が背面から視た背面斜視図、（ｂ）が右側面図、（ｃ）が背面図、（ｄ）が底面図である。
【図４】本願発明に係るコーナーカバーの他の説明図であって、（ａ）が背面から視た背面斜視図、（ｂ）が右側面図、（ｃ）が背面図、（ｄ）が底面図である。
【図５】本願発明に係るコーナーカバーの説明斜視図であって、（ａ）が正面から視た正面斜視図、（ｂ）が背面から視た背面斜視図である。
【図６】図５のコーナーカバーの説明図であって、（ａ）が正面図、（ｂ）が左側面図、（ｃ）が右側面図、（ｄ）が背面図、（ｅ）が平面図、（ｆ）が底面図である。
【図７】本願発明に係るコーナーカバーの使用方法を説明する正面斜視図である。
【図８】本願発明に係るコーナーカバーの使用方法を説明する背面斜視図である。
【図９】図８の透視図である。
【図１０】本願発明に係るコーナーカバーの使用方法を説明する下面図である。
【図１１】図１０の要部拡大図である。
【図１２】本願発明に係るコーナーカバーの取り付け方を説明する側面説明図である。
【発明を実施するための形態】
【００２１】
本願発明に係るコーナーカバーの概要を説明する。図７，１０に示すように、コーナーカバー１，２１，３１，４１は、壁隅Ｐの両側に配置された一対の板材Ｔの端部Ｔ２をカバーするものである。図１，５に示すように、コーナーカバー１，２１，３１，４１は、一方の板材Ｔの正面を覆う一方の正面板２，４５と、一方の正面板２，４５に屈曲して連接され、他方の板材Ｔの正面を覆う他方の正面板５，４２と、一方の正面板２，４５の上端に連接され、一方の板材Ｔの上端面Ｔ３を覆う一方の上面板７，４９と、他方の正面板５，４２の上端に連接され、他方の板材Ｔの上端面Ｔ３を覆う他方の上面板９，４７と、一方の正面板２，４５に形成され、一方の板材Ｔの凹溝Ｔ１に係合する一方の係合凸部１２，５５と、他方の正面板５，４２に形成され、他方の板材Ｔの凹溝Ｔ１に係合する他方の係合凸部１５，５２とからなる。他方の正面板５又は一方の正面板４５には、一方の正面板２，４５とで挟み込んで一対の板材Ｔの片方のみを挟持する挟持片１６，５６が設けられている。
【００２２】
コーナーカバー１，２１，３１，４１は、図１０に示すように、壁隅Ｐの両側に配置された一対の板材Ｔの端部Ｔ２をカバーすることができる。コーナーカバー１，２１，３１，４１は、一方の正面板２，４５が一方の板材Ｔの正面を覆い、他方の正面板５，４２が他方の板材Ｔの正面を覆い、一方の上面板７，４９が一方の板材Ｔの上端面Ｔ３を覆い、他方の上面板９，４７が他方の板材Ｔの上端面Ｔ３を覆う。一方の正面板２、４５に形成された係合凸部１２，５５が、一方の板材Ｔの凹溝Ｔ１に係合し、他方の正面板５，４２に形成された係合凸部１５，５２が、他方の板材Ｔの凹溝Ｔ１に係合する。
【００２３】
コーナーカバー１，２１，３１，４１は、他方の正面板５又は一方の正面板４５に設けられた挟持片１６，５６が、一方の正面板２，４５とで挟み込んで一対の板材Ｔの片方のみを挟持し、他方を挟持しない。コーナーカバー１，２１，３１，４１は、挟持片１６，５６が一方のみに設けられ、他方に設けられていないので、板材Ｔへの取付が容易である。また、コーナーカバー１，２１，３１，４１は、他方の正面板５又は一方の正面板４５のみに挟持片１６，５６が設けられ、両方には設けられないので、構造が簡単であり、安価に製造することができる。
【００２４】
コーナーカバー１，２１，３１は、図７，１０に示すように、出隅Ｐ１の両側に配置された一対の板材Ｔの端部Ｔ２をカバーするものである。図１に示すように、コーナーカバー１，２１，３１は、他方の正面板５に、一方の正面板２とで挟み込んで一方の板材Ｔを挟持する挟持片１６が、一方の正面板２と略平行に設けられている。コーナーカバー１，２１，３１は、板材Ｔの上部から取り付けることができることは勿論のこと、板材Ｔの端縁Ｔ２側の横方向からも差し込んで取り付けることができ、取付が容易である。
【００２５】
コーナーカバー４１は、図７，１０に示すように、入隅Ｐ２の両側に配置された一対の板材Ｔの端部Ｔ２をカバーするものである。図５に示すように、一方の正面板４５には、一方の正面板４５とで挟み込んで一方の板材Ｔを挟持する挟持片５６が設けられている。挟持片５６は、一方の正面板４５と略平行の平行挟持部５６ａと、一方の正面板４５と略直角の直角挟持部５６ｂとからなり、平行挟持部５６ａと一方の正面板４５とで一方の板材Ｔを挟持する。コーナーカバー４１は、挟持片５６が一方のみに設けられ、他方に設けられていないので、板材Ｔへの取付が容易である。また、コーナーカバー４１は、一方の正面板４５のみに挟持片５６が設けられ、両方の正面板には設けられていないので、構造が簡単であり、安価に製造することができる。コーナーカバー４１は、板材Ｔの上部から取り付けることができることは勿論のこと、板材Ｔの端縁Ｔ２側の横方向からも差し込んで取り付けることができ、取付が容易である。
【００２６】
コーナーカバー１，２１，３１，４１は、一方の上面板７，４９に、一方の板材Ｔの上端Ｔ３に係止される係止縁１９，５９が形成されている。コーナーカバー１，２１，３１，４１は、上面板７，４９に板材Ｔの上端Ｔ３に係止される係止縁１９，５９が形成されているので、下部が挟持片１６，５６により板材Ｔに取り付けられ、上部が係止縁１９，５９により板材Ｔに取り付けられることになり、板材Ｔから離れてしまう部分がなく、板材Ｔにしっかり固定しておくことができる。コーナーカバー１，２１，３１，４１は、前記係止縁１９，５９が、前記挟持片１６，５６ａと略同一方向に延びるように延設されている。コーナーカバー１，２１，３１，４１は、前記係止縁１９，５９と前記挟持片１６，５６ａとが略同じ方向を向いているので、板材Ｔの端縁Ｔ２側の横方向から板材Ｔの長手方向（横方向）にスライドさせて簡単且つ無理なく取り付けることができる。
【００２７】
さらにコーナーカバーについて詳細に説明する。最初に壁Ｗの出隅Ｐ１に取り付けられるコーナーカバー１について説明する。図１、２に示すように、コーナーカバー１は、合成樹脂素材の射出成形により一体成形されている。素材は、弾性変形可能な素材であることが望ましい。コーナーカバー１は、図７に示すように、壁面Ｗに設けられた幅木、廻り縁等の板材Ｔに取り付けられ、図１０に示すように、壁面Ｗの出隅Ｐ１に位置する一対の板材Ｔの対向する端縁Ｔ２及び端縁Ｔ２間の隙間を覆うようになっている。
【００２８】
図１，２に示すように、コーナーカバー１は、左正面板２と、左正面板２の右端に接続部３を介して略直角に接続された右正面板５とを有する。左正面板２及び右正面板５は、板材Ｔの高さＨと略同じ長さの高さで形成されている（図８参照）。左正面板２及び右正面板５は、略直角を構成する左正面板２の面と右正面板５の面が裏面２ｂ，５ｂとなり、当該裏面２ｂ，５ｂが板材Ｔの表面に当接する。
【００２９】
左正面板２の上端には、接続部６を介して裏面２ｂ側に略直角に接続された左上面板７が形成されている。また、右正面板５の上端には、接続部８を介して裏面５ｂ側に略直角に接続された右上面板９が形成されている。左上面板７と右上面板９は、板材Ｔの厚みＤと略同じ長さの奥行きで形成されており（図８参照）、連続した一体形成となっている。
【００３０】
左正面板２、右正面板５及び接続部３は、表面２ａ，５ａ側から裏面２ｂ，５ｂに向かって突出する係合凸部１２，１５，１３が形成されている。係合凸部１２，１５，１３は、断面略コ字状に形成され、左上面板７及び右上面板９と略平行で連続して形成されている。左正面板２及び右正面板５に形成された係合凸部１２，１５は、板材Ｔの長手方向に形成された凹溝Ｔ１に係合する（図７参照）。
【００３１】
右正面板５の裏面５ｂには、左正面板２と略平行の挟持片１６が形成されている。挟持片１６は、薄厚で形成され、係合凸部１５より下方に位置して設けられている。挟持片１６と左正面板２との間の隙間の幅は、板材Ｔの厚みＤと略同じである。また、左正面板２の上端に設けられた左上面板７の端部には、下方に突出する係止縁１９が形成されている。係止縁１９は、左正面板２と略平行となっている。係止縁１９と左正面板２との間の隙間の幅は、板材Ｔの厚みＤと略同じである。従って係止縁１９は、挟持片１６と略同一方向に延びるように延設され、挟持片１６と略同じ方向を向いている。
【００３２】
また、出隅Ｐ１に取り付けられる他の実施の形態のコーナーカバー２１について説明する。図３に示すように、コーナーカバー２１は、コーナーカバー１と同様に、合成樹脂素材の射出成形により一体成形されている。コーナーカバー２１は、コーナーカバー１と異なり、縦リブ２２が設けられている。縦リブ２２は、右正面板５に前記挟持片１６と共に一体で成形された突条であって、係合凸部１５より低く形成されている。即ち、挟持片１６は、縦リブ２２に載った形となっており、縦リブ２２上に連続して形成されている。縦リブ２２は、右上面板９近傍まで伸びているが、係合凸部１５により分断されている。
【００３３】
さらに、出隅Ｐ１に取り付けられる他の実施の形態のコーナーカバー３１について説明する。図４に示すように、コーナーカバー３１は、コーナーカバー１及び２１と同様に、合成樹脂素材の射出成形により一体成形されている。コーナーカバー３１は、コーナーカバー２１と同様に、縦リブ３２が設けられている。縦リブ３２は、右正面板５に前記挟持片１６と共に一体で成形された突条であって、係合凸部１５より高く形成されている。即ち、挟持片１６は、縦リブ３２に載った形となっており、縦リブ３２上に連続して形成されている。縦リブ３２は。右上面板９近傍まで伸びており、係合凸部１５を乗り越えている。なお、縦リブ３２の幅は、係合凸部１５を乗り越える長さではあるが、板材Ｔの厚みＤ未満の長さとなっている。
【００３４】
次に、壁Ｗの入隅Ｐ２に取り付けられるコーナーカバー４１について説明する。図５，６に示すように、コーナーカバー４１は、合成樹脂素材の射出成形により一体成形されている。素材は、コーナーカバー１，２１，３１と同様に、弾性変形可能な素材であることが望ましい。図７に示すように、コーナーカバー４１は、壁面Ｗの板材Ｔに取り付けられ、図１０に示すように、壁面Ｗの入隅Ｐ２を中心として両側に位置する一対の板材Ｔの対向する端縁Ｔ２及び端縁Ｔ２間の隙間を覆うようになっている。
【００３５】
図５，６に示すように、コーナーカバー４１は、左正面板４２と、左正面板４２の右端に接続部４３を介して略直角に接続された右正面板４５とを有する。左正面板４２及び右正面板４５は、板材Ｔの高さＨと略同じ長さの高さで形成されている（図８参照）。左正面板４２及び右正面板４５は、略直角を構成する左正面板４２の面と右正面板４５の面が表面４２ａ，４５ａとなり、裏面４２ｂ，４５ｂが板材Ｔの表面に当接する。
【００３６】
左正面板４２の上端には、接続部４６を介して裏面４２ｂ側に略直角に接続された左上面板４７が形成されている。また、右正面板４５の上端には、接続部４８を介して裏面４５ｂ側に略直角に接続された右上面板４９が形成されている。左上面板４７と右上面板４９は、板材Ｔの厚みＤと略同じ長さの奥行きで形成されており（図８参照）、連続した一体形成となっている。
【００３７】
左正面板４２、右正面板４５及び接続部４３は、表面４２ａ，４５ａ側から裏面４２ｂ，４５ｂに向かって突出する係合凸部５２，５５，５３が形成されている。係合凸部５２，５５，５３は、断面略コ字状に形成され、左上面板４７及び右上面板４９と略平行に連続して形成されている。左正面板４２に形成された係合凸部５２及び右正面板４５に形成された係合凸部５５は、板材Ｔの長手方向に形成された凹溝Ｔ１に係合する（図７参照）。
【００３８】
右正面板４５の裏面４５ｂには、挟持片５６が形成されている。挟持片５６は、右正面板４５と略平行の平行挟持部５６ａと、右正面板４５と略直角の直角挟持部５６ｂとからなる。挟持片５６は、係合凸部５５より下方に位置して設けられている。挟持片５６の平行挟持部５６ａと右正面板４５との間の隙間の幅は、板材Ｔの厚みＤと略同じである。また、右正面板４５の上端に設けられた右上面板４９の端部には、下方に突出する係止縁５９が形成されている。係止縁５９は、右正面板４５と略平行となっている。係止縁５９と右正面板４５との間の隙間の幅は、板材Ｔの厚みＤと略同じである。従って係止縁５９は、平行挟持部５６ａと略同一方向に延びるように延設され、平行挟持部５６ａと略同じ方向を向いている。
【００３９】
コーナーカバーは、上記構成を有し、以下のように使用することができる。図７に示すように、コーナーカバー１，２１，３１は壁Ｗの出隅Ｐ１に取り付けられる。図１１，図１２（ａ）に示すように、挟持片１６を壁面Ｗと板材Ｔの間に差し込み、左正面板２を一方の板材Ｔの表面に接触させ、右正面板５を他方の板材Ｔの表面に接触させるようにして、コーナーカバー１，２１，３１を上方から押し込む。図１０に示すように、一方の板材Ｔの端部Ｔ２は、挟持片１６と左正面板２とで挟み込まれる。他方の板材Ｔの端部Ｔ２は、右正面板５と壁Ｗとで挟み込まれる。
【００４０】
コーナーカバー１，２１，３１を上方からさらに押し込むと、係合凸部１２が一方の板材Ｔの上端面Ｔ３に接触する。コーナーカバー１，２１，３１は、図１２（ｂ）に示すように、係合凸部１２が一方の板材Ｔの上端面Ｔ３に接触すると、挟持片１６の素材の弾性に抗して左正面板２が板材Ｔから離れるように傾き、係合凸部１２が一方の板材Ｔの表面に摺接しながら下方に移動する。同様に、係合凸部１５が他方の板材Ｔの上端面Ｔ３に接触すると、右正面板５が傾き、係合凸部１５が他方の板材Ｔの表面に摺接しながら下方に移動する。右正面板５は、他方の板材Ｔを共に挟み込む挟持片が設けられていないので、係合凸部１５の他方の板材Ｔに対する圧接度が低く、抵抗が少ないので、下方への移動が容易である。
【００４１】
コーナーカバー１，２１，３１は、下方に移動し、図１２（ｃ）に示すように、左正面板２の係合凸部１２が一方の板材Ｔの凹溝Ｔ１に係合し、右正面板５の係合凸部１５が他方の板材Ｔの凹溝Ｔ１に係合する。また、左上面板７の係止縁１９が一方の板材Ｔの上端縁Ｔ３に係止される。このようにして、コーナーカバー１，２１，３１は、一対の板材Ｔの対向する端部Ｔ２，Ｔ２に取り付けられる。コーナーカバー１，２１，３１は、板材Ｔの上部を係止縁１９と左正面板２で挟持し、板材Ｔの下部を挟持片１６と左正面板２で挟持するので、接着剤、固定テープ等の他の固定手段が不要であり、取付作業が簡単となり、板材Ｔに確実に固定することができる。
【００４２】
図７に示すように、コーナーカバー４１は壁Ｗの入隅Ｐ２に取り付けられる。図１０に示すように、挟持片５６の平行挟持部５６ａを壁面Ｗと板材Ｔの間に差し込み、右正面板４５を一方の板材Ｔの表面に接触させ、左正面板４２を他方の板材Ｔの表面に接触させるようにして、コーナーカバー４１を上方から押し込む。一方の板材Ｔの端部Ｔ２は、挟持片５６と右正面板４５とで挟み込まれる。他方の板材Ｔの端部Ｔ２は、左正面板４２と壁Ｗとで挟み込まれる。
【００４３】
コーナーカバー４１を上方からさらに押し込むと、係合凸部５５が一方の板材Ｔの上端面Ｔ３に接触する。コーナーカバー４１は、係合凸部５５が一方の板材Ｔの上端面Ｔ３に接触すると、挟持片５６の素材の弾性に抗して右正面板４５が板材Ｔから離れるように傾き、係合凸部５５が一方の板材Ｔの表面に摺接しながら下方に移動する。同様に、係合凸部５２が他方の板材Ｔの上端面Ｔ３に接触すると、左正面板４２が傾き、係合凸部５２が他方の板材Ｔの表面に摺接しながら下方に移動する。左正面板４２は、他方の板材Ｔを共に挟み込む挟持片が設けられていないので、係合凸部５２の他方の板材Ｔに対する圧接度が低く、抵抗が少ないので、下方への移動が容易である。
【００４４】
コーナーカバー４１は、下方に移動し、右正面板４５の係合凸部５５が一方の板材Ｔの凹溝Ｔ１に係合し、左正面板４２の係合凸部５２が他方の板材Ｔの凹溝Ｔ１に係合する。また、右上面板４９の係止縁５９が一方の板材Ｔの上端縁Ｔ３に係止される。このようにして、コーナーカバー４１は、一対の板材Ｔの対向する端部Ｔ２，Ｔ２に取り付けられる。コーナーカバー４１は、板材Ｔの上部を係止縁５９と右正面板４５で挟持し、板材Ｔの下部を挟持片５６と右正面板４５で挟持するので、板材Ｔに確実に固定することができる。
【００４５】
図１０に示すように、一方の板材Ｔは、一方の端部Ｔ２がコーナーカバー１，２１，３１の左正面板２と挟持片１６によって挟持され、他方の端部Ｔ２がコーナーカバー４１の右正面板４５と挟持片５６によって挟持されている。他方の板材Ｔは、一方の端部Ｔ２がコーナーカバー１，２１，３１の右正面板５と壁Ｗによって挟持され、他方の端部Ｔ２がコーナーカバー４１の左正面板４２と壁Ｗによって挟持されている。このように、コーナーカバー１，２１，３１，４１は、簡単に板材Ｔに取り付けることができ、複雑な構成ではないので製造が容易で比較的安価に製造することができる。
【００４６】
コーナーカバー１，２１，３１，４１は、上記実施の形態では、板材Ｔの上方から取り付ける方法について説明したが、図１１の矢印Ｘで示すように、板材Ｔの端部Ｔ２側から板材Ｔの長手方向（横方向）に向かって差し込むように取り付けても良い。係る場合、係合凸部１２，５５が板材Ｔの凹溝Ｔ１内で摺動して取り付けられ、挟持片１６，５６と係止縁１９，５９が壁Ｗと板材Ｔの間に差し込まれるように取り付けられる。このように、コーナーカバー１，２１，３１，４１は、板材Ｔの端部Ｔ２側から板材Ｔの長手方向（横方向）に取り付けると、左正面板２，右正面板４５を弾性変形させることがないので、スムーズに取り付けることができ、無理な力を加えて取り付けることがないので、壊れ難い。
【００４７】
コーナーカバー１，２１，３１は、上方から板材Ｔに取り付ける場合、叩打手段（例えば、金槌、木槌）の叩打により取り付けることが多い。コーナーカバー２１，３１は、縦リブ２２，３２を備えているので、剛性が高い構造であり、叩打による取付の場合であっても、破損し難い。コーナーカバー３１は、コーナーカバー２１より縦リブが高くなっており、コーナーカバー２１より剛性が高くなっている。なお、コーナーカバー１は、縦リブを備えていないので、金型構造を単純にでき、安価に製作することができる。
【産業上の利用可能性】
【００４８】
本発明は、家屋の壁面に設けられた幅木又は廻り縁等の板材に取り付けられるコーナーカバーに利用可能である。
【符号の説明】
【００４９】
Ｐ  壁隅
Ｐ１  出隅
Ｐ２  入隅
Ｔ  板材
Ｔ１  凹溝
Ｔ２  端縁（端部）
Ｔ３  上端面（上端）
１  コーナーカバー
２  左正面板（一方の正面板）
５  右正面板（他方の正面板）
７  左上面板（一方の上面板）
９  右上面板（他方の上面板）
１２  係合凸部（一方の係合凸部）
１５  係合凸部（他方の係合凸部）
１６  挟持片
１９  係止縁
２１  コーナーカバー
３１  コーナーカバー
４１  コーナーカバー
４２  左正面板（他方の正面板）
４５  右正面板（一方の正面板）
４７  左上面板（他方の上面板）
４９  右上面板（一方の上面板）
５２  係合凸部（他方の係合凸部）
５５  係合凸部（一方の係合凸部）
５６  挟持片
５９  係止縁
【図１】
0006734108.tif 000002
【図２】
0006734108.tif 000003
【図３】
0006734108.tif 000004
【図４】
0006734108.tif 000005
【図５】
0006734108.tif 000006
【図６】
0006734108.tif 000007
【図７】
0006734108.tif 000008
【図８】
0006734108.tif 000009
【図９】
0006734108.tif 000010
【図１０】
0006734108.tif 000011
【図１１】
0006734108.tif 000012
【図１２】
0006734108.tif 000013